(57)【要約】【課題】ＦＡＸ受信があったことを用紙出力により周囲に知らせつつセキュリティの向上を図る。【解決手段】複合機３０は、原稿読取部３１から送られてきた原稿の読取画像をＦＡＸ送信用の第１の画像と電子メール送信用の第２の画像とに分割する画像分割部３２と、第１の画像をコード変換し、宛先、送信者に関する情報、分割画像の復元方法等を含む付加情報を付加してからＦＡＸ送信するＦＡＸ送信部３７と、第２の画像を添付ファイルとしてメール送信するメール送信部３８とを有する。画像処理装置５０は、複合機４０による印刷物６２から第１の画像をデコードするコード変換部５３と、デコードした第１の画像と、メール受信部５１が受け取った第２の画像とを結合して原稿画像を復元する原稿画像復元部５４とを有する。【選択図】図１
2010074567.tif 000002
【特許請求の範囲】
【請求項１】
原稿を読み取り読取画像を生成する読取画像生成手段と、
生成された読取画像を、ファクシミリにより送信する第１の画像とそれ以外の第２の画像とに分割する分割手段と、
第１の画像の宛先を特定する情報及び第２の画像を特定する情報を少なくとも含む付加情報を生成する付加情報生成手段と、
第１の画像及び付加情報を含むファクシミリ画像を生成し、ファクシミリにより前記宛先へ送信するファクシミリ送信手段と、
第２の画像を指定された宛先へ送信する画像送信手段と、
を有することを特徴とするファクシミリ装置。
【請求項２】
請求項１記載のファクシミリ装置において、
第１の画像を機械可読コードに変換する変換手段を有し、
前記ファクシミリ送信手段は、コード変換された第１の画像をファクシミリ画像に含めて送信することを特徴とするファクシミリ装置。
【請求項３】
請求項１記載のファクシミリ装置において、
前記分割手段は、ファクシミリ画像がファクシミリ画像を受信したファクシミリ装置において１枚の用紙に印刷される大きさに第１の画像を生成することを特徴とするファクシミリ装置。
【請求項４】
原稿の読取画像がファクシミリにより送信する第１の画像とファクシミリ以外の第２の画像とに分割された場合、第１の画像及び当該第１の画像の宛先を特定する情報及び第２の画像を特定する情報を少なくとも含む付加情報を含むファクシミリ画像の印刷用紙を読み取りファクシミリ受信画像を生成する生成手段と、
第２の画像を取得する取得手段と、
ファクシミリ受信画像に含まれる付加情報を参照して、ファクシミリ受信画像に含まれる第１の画像と前記取得手段により取得された第２の画像とから原稿の読取画像を復元する復元手段と、
を有することを特徴とする画像処理装置。
【請求項５】
ファクシミリ装置と、
画像処理装置と、
を有し、
前記ファクシミリ装置は、
原稿の読取画像がファクシミリにより送信する第１の画像とファクシミリ以外の第２の画像とに分割された場合、第１の画像及び当該第１の画像の宛先を特定する情報及び第２の画像を特定する情報を少なくとも含む付加情報を含むファクシミリ画像をファクシミリにより受信するファクシミリ受信手段と、
受信したファクシミリ画像を用紙に印刷する印刷手段と、
を有し、
前記画像処理装置は、
前記印刷手段により印刷された用紙を読み取りファクシミリ受信画像を生成する生成手段と、
第２の画像を取得する取得手段と、
ファクシミリ受信画像に含まれる付加情報を参照して、ファクシミリ受信画像に含まれる第１の画像と前記取得手段により取得された第２の画像とから原稿の読取画像を復元する復元手段と、
を有することを特徴とするファクシミリ受信システム。
【請求項６】
原稿のファクシミリ画像を受信するファクシミリ受信手段と、
受信したファクシミリ画像を、印刷用の第１の画像とそれ以外の第２の画像とに分割する分割手段と、
第１の画像の宛先を特定する情報及び第２の画像を特定する情報を少なくとも含む付加情報を生成する付加情報生成手段と、
第１の画像及び付加情報を含む印刷画像を用紙に印刷する印刷手段と、
第２の画像を指定された宛先へ送信する画像送信手段と、
を有することを特徴とするファクシミリ装置。
【請求項７】
ファクシミリ装置と、
画像処理装置と、
を有し、
前記ファクシミリ装置は、
原稿のファクシミリ画像を受信するファクシミリ受信手段と、
受信したファクシミリ画像を、印刷用の第１の画像とそれ以外の第２の画像とに分割する分割手段と、
第１の画像の宛先を特定する情報及び第２の画像を特定する情報を少なくとも含む付加情報を生成する付加情報生成手段と、
第１の画像及び付加情報を含む印刷画像を用紙に印刷する印刷手段と、
第２の画像を指定された宛先へ送信する画像送信手段と、
を有し、
前記画像処理装置は、
前記印刷手段により印刷された用紙を読み取りファクシミリ受信画像を生成する生成手段と、
第２の画像を受信する画像受信手段と、
ファクシミリ受信画像に含まれる付加情報を参照して、ファクシミリ受信画像に含まれる第１の画像と前記画像受信手段により受信された第２の画像とから原稿の読取画像を復元する復元手段と、
を有することを特徴とするファクシミリ受信システム。
【請求項８】
ファクシミリ送信側に設置された送信用ファクシミリ装置と、
ファクシミリ受信側に設置された受信用ファクシミリ装置と、
ファクシミリ受信側に設置された画像処理装置と、
を有し、
前記送信用ファクシミリ装置は、
原稿を読み取り読取画像を生成する読取画像生成手段と、
生成された読取画像を、ファクシミリにより送信する第１の画像とそれ以外の第２の画像とに分割する分割手段と、
第１の画像の宛先を特定する情報及び第２の画像を特定する情報を少なくとも含む付加情報を生成する付加情報生成手段と、
第１の画像及び付加情報を含むファクシミリ画像を生成し、ファクシミリにより前記宛先へ送信するファクシミリ送信手段と、
第２の画像を指定された宛先へ送信する画像送信手段と、
を有し、
前記受信用ファクシミリ装置は、
前記ファクシミリ送信手段により送信されたファクシミリ画像を受信するファクシミリ受信手段と、
受信したファクシミリ画像を用紙に印刷する印刷手段と、
を有し、
前記画像処理装置は、
前記印刷手段により印刷された用紙を読み取りファクシミリ受信画像を生成する生成手段と、
前記画像送信手段により送信された第２の画像を受信する画像受信手段と、
ファクシミリ受信画像に含まれる付加情報を参照して、ファクシミリ受信画像に含まれる第１の画像と前記画像受信手段により受信された第２の画像とから原稿の読取画像を復元する復元手段と、
を有することを特徴とするファクシミリシステム。
【請求項９】
ファクシミリ送信側に設置された送信用ファクシミリ装置と、
ファクシミリ受信側に設置された受信用ファクシミリ装置と、
ファクシミリ受信側に設置された画像処理装置と、
を有し、
前記送信用ファクシミリ装置は、原稿をファクシミリにより、指定された宛先へ送信するファクシミリ送信手段を有し、
前記受信用ファクシミリ装置は、
前記ファクシミリ送信手段により送信されたファクシミリ画像を受信するファクシミリ受信手段と、
受信したファクシミリ画像を、印刷用の第１の画像とそれ以外の第２の画像とに分割する分割手段と、
第１の画像の宛先を特定する情報及び第２の画像を特定する情報を少なくとも含む付加情報を生成する付加情報生成手段と、
第１の画像及び付加情報を含む印刷画像を用紙に印刷する印刷手段と、
第２の画像を指定された宛先へ送信する画像送信手段と、
を有し、
前記画像処理装置は、
前記印刷手段により印刷された用紙を読み取りファクシミリ受信画像を生成する生成手段と、
第２の画像を受信する画像受信手段と、
ファクシミリ受信画像に含まれる付加情報を参照して、ファクシミリ受信画像に含まれる第１の画像と前記画像受信手段により受信された第２の画像とから原稿の読取画像を復元する復元手段と、
を有することを特徴とするファクシミリシステム。
【請求項１０】
ファクシミリ装置に搭載されたコンピュータを、
原稿を読み取り読取画像を生成する読取画像生成手段、
生成された読取画像を、ファクシミリにより送信する第１の画像とそれ以外の第２の画像とに分割する分割手段、
第１の画像の宛先を特定する情報及び第２の画像を特定する情報を少なくとも含む付加情報を生成する付加情報生成手段、
第１の画像及び付加情報を含むファクシミリ画像を生成し、ファクシミリにより前記宛先へ送信するファクシミリ送信手段、
第２の画像を指定された宛先へ送信する画像送信手段、
として機能させるプログラム。
【請求項１１】
コンピュータを、
原稿の読取画像がファクシミリにより送信する第１の画像とファクシミリ以外の画像送信手段により送信する第２の画像とに分割された場合、第１の画像及び当該第１の画像の宛先を特定する情報及び第２の画像を特定する情報を少なくとも含む付加情報を含むファクシミリ画像の印刷用紙を読み取りファクシミリ受信画像を生成する生成手段、
第２の画像を受信する画像受信手段、
ファクシミリ受信画像に含まれる付加情報を参照して、ファクシミリ受信画像に含まれる第１の画像と前記画像受信手段により受信された第２の画像とから原稿の読取画像を復元する復元手段、
として機能させるプログラム。
【請求項１２】
ファクシミリ装置に搭載されたコンピュータを、
原稿のファクシミリ画像を受信するファクシミリ受信手段、
受信したファクシミリ画像を、印刷用の第１の画像とそれ以外の第２の画像とに分割する分割手段、
第１の画像の宛先を特定する情報及び第２の画像を特定する情報を少なくとも含む付加情報を生成する付加情報生成手段、
第１の画像及び付加情報を含む印刷画像を用紙に印刷する印刷手段、
第２の画像を指定された宛先へ送信する画像送信手段、
として機能させるプログラム。
【発明の詳細な説明】
【技術分野】
【０００１】
本発明は、ファクシミリ装置、画像処理装置、ファクシミリ受信システム、ファクシミリシステム及びプログラムに関する。
【背景技術】
【０００２】
ファクシミリ（以下、「ＦＡＸ」ともいう）装置は、情報を知らせるための手段としてよく利用されている。なお、ＦＡＸ送受信に関する技術として、特許文献１〜３が提案されている。
【０００３】
【特許文献１】特開昭５６−０４４２５６号公報
【特許文献２】特開平０８−２４２３２６号公報
【特許文献３】特開平１０−２１００８６号公報
【発明の開示】
【発明が解決しようとする課題】
【０００４】
ＦＡＸ画像を受信すると、その受信内容を基本的には受信した時点で用紙に印字出力するので、ＦＡＸ装置の周囲にいる者は、排出トレイに出力された用紙の存在でＦＡＸ受信があったことを即座に認識できるという利便性がある。その一方では、受信内容が印字出力されることで第三者に閲覧されてしまう可能性があるため、セキュリティ上、問題視される場合もある。
【０００５】
しかしながら、従来技術においては、ＦＡＸ装置のセキュリティ上の問題を解消するために受信データを印字出力せずにファイルサーバに保持したり、電子メールにより送信したりするので、前述したファクシミリ通信の利便性が失われていた。
【０００６】
本発明は、ＦＡＸ受信があったことを用紙出力により周囲に知らせつつセキュリティの向上を図ることを目的とする。
【課題を解決するための手段】
【０００７】
本発明に係るファクシミリ装置は、原稿を読み取り読取画像を生成する読取画像生成手段と、生成された読取画像を、ファクシミリにより送信する第１の画像とそれ以外の第２の画像とに分割する分割手段と、第１の画像の宛先を特定する情報及び第２の画像を特定する情報を少なくとも含む付加情報を生成する付加情報生成手段と、第１の画像及び付加情報を含むファクシミリ画像を生成し、ファクシミリにより前記宛先へ送信するファクシミリ送信手段と、第２の画像を指定された宛先へ送信する画像送信手段と、を有することを特徴とする。
【０００８】
また、第１の画像を機械可読コードに変換する変換手段を有し、前記ファクシミリ送信手段は、コード変換された第１の画像をファクシミリ画像に含めて送信することを特徴とする。
【０００９】
また、前記分割手段は、ファクシミリ画像がファクシミリ画像を受信したファクシミリ装置において１枚の用紙に印刷される大きさに第１の画像を生成することを特徴とする。
【００１０】
本発明に係る画像処理装置は、原稿の読取画像がファクシミリにより送信する第１の画像とファクシミリ以外の第２の画像とに分割された場合、第１の画像及び当該第１の画像の宛先を特定する情報及び第２の画像を特定する情報を少なくとも含む付加情報を含むファクシミリ画像の印刷用紙を読み取りファクシミリ受信画像を生成する生成手段と、第２の画像を取得する取得手段と、ファクシミリ受信画像に含まれる付加情報を参照して、ファクシミリ受信画像に含まれる第１の画像と前記取得手段により取得された第２の画像とから原稿の読取画像を復元する復元手段と、を有することを特徴とする。
【００１１】
本発明に係るファクシミリ受信システムは、ファクシミリ装置と、画像処理装置と、を有し、前記ファクシミリ装置は、原稿の読取画像がファクシミリにより送信する第１の画像とファクシミリ以外の第２の画像とに分割された場合、第１の画像及び当該第１の画像の宛先を特定する情報及び第２の画像を特定する情報を少なくとも含む付加情報を含むファクシミリ画像をファクシミリにより受信するファクシミリ受信手段と、受信したファクシミリ画像を用紙に印刷する印刷手段と、を有し、前記画像処理装置は、前記印刷手段により印刷された用紙を読み取りファクシミリ受信画像を生成する生成手段と、第２の画像を取得する取得手段と、ファクシミリ受信画像に含まれる付加情報を参照して、ファクシミリ受信画像に含まれる第１の画像と前記取得手段により取得された第２の画像とから原稿の読取画像を復元する復元手段と、を有することを特徴とする。
【００１２】
本発明に係るファクシミリ装置は、原稿のファクシミリ画像を受信するファクシミリ受信手段と、受信したファクシミリ画像を、印刷用の第１の画像とそれ以外の第２の画像とに分割する分割手段と、第１の画像の宛先を特定する情報及び第２の画像を特定する情報を少なくとも含む付加情報を生成する付加情報生成手段と、第１の画像及び付加情報を含む印刷画像を用紙に印刷する印刷手段と、第２の画像を指定された宛先へ送信する画像送信手段と、を有することを特徴とする。
【００１３】
本発明に係るファクシミリ受信システムは、ファクシミリ装置と、画像処理装置と、を有し、前記ファクシミリ装置は、原稿のファクシミリ画像を受信するファクシミリ受信手段と、受信したファクシミリ画像を、印刷用の第１の画像とそれ以外の第２の画像とに分割する分割手段と、第１の画像の宛先を特定する情報及び第２の画像を特定する情報を少なくとも含む付加情報を生成する付加情報生成手段と、第１の画像及び付加情報を含む印刷画像を用紙に印刷する印刷手段と、第２の画像を指定された宛先へ送信する画像送信手段と、を有し、前記画像処理装置は、前記印刷手段により印刷された用紙を読み取りファクシミリ受信画像を生成する生成手段と、第２の画像を受信する画像受信手段と、ファクシミリ受信画像に含まれる付加情報を参照して、ファクシミリ受信画像に含まれる第１の画像と前記画像受信手段により受信された第２の画像とから原稿の読取画像を復元する復元手段と、を有することを特徴とする。
【００１４】
本発明に係るファクシミリシステムは、ファクシミリ送信側に設置された送信用ファクシミリ装置と、ファクシミリ受信側に設置された受信用ファクシミリ装置と、ファクシミリ受信側に設置された画像処理装置と、を有し、前記送信用ファクシミリ装置は、原稿を読み取り読取画像を生成する読取画像生成手段と、生成された読取画像を、ファクシミリにより送信する第１の画像とそれ以外の第２の画像とに分割する分割手段と、第１の画像の宛先を特定する情報及び第２の画像を特定する情報を少なくとも含む付加情報を生成する付加情報生成手段と、第１の画像及び付加情報を含むファクシミリ画像を生成し、ファクシミリにより前記宛先へ送信するファクシミリ送信手段と、第２の画像を指定された宛先へ送信する画像送信手段と、を有し、前記受信用ファクシミリ装置は、前記ファクシミリ送信手段により送信されたファクシミリ画像を受信するファクシミリ受信手段と、受信したファクシミリ画像を用紙に印刷する印刷手段と、を有し、前記画像処理装置は、前記印刷手段により印刷された用紙を読み取りファクシミリ受信画像を生成する生成手段と、前記画像送信手段により送信された第２の画像を受信する画像受信手段と、ファクシミリ受信画像に含まれる付加情報を参照して、ファクシミリ受信画像に含まれる第１の画像と前記画像受信手段により受信された第２の画像とから原稿の読取画像を復元する復元手段と、を有することを特徴とする。
【００１５】
本発明に係るファクシミリシステムは、ファクシミリ送信側に設置された送信用ファクシミリ装置と、ファクシミリ受信側に設置された受信用ファクシミリ装置と、ファクシミリ受信側に設置された画像処理装置と、を有し、前記送信用ファクシミリ装置は、原稿をファクシミリにより、指定された宛先へ送信するファクシミリ送信手段を有し、前記受信用ファクシミリ装置は、前記ファクシミリ送信手段により送信されたファクシミリ画像を受信するファクシミリ受信手段と、受信したファクシミリ画像を、印刷用の第１の画像とそれ以外の第２の画像とに分割する分割手段と、第１の画像の宛先を特定する情報及び第２の画像を特定する情報を少なくとも含む付加情報を生成する付加情報生成手段と、第１の画像及び付加情報を含む印刷画像を用紙に印刷する印刷手段と、第２の画像を指定された宛先へ送信する画像送信手段と、を有し、前記画像処理装置は、前記印刷手段により印刷された用紙を読み取りファクシミリ受信画像を生成する生成手段と、第２の画像を受信する画像受信手段と、ファクシミリ受信画像に含まれる付加情報を参照して、ファクシミリ受信画像に含まれる第１の画像と前記画像受信手段により受信された第２の画像とから原稿の読取画像を復元する復元手段と、を有することを特徴とする。
【００１６】
本発明に係るプログラムは、ファクシミリ装置に搭載されたコンピュータを、原稿を読み取り読取画像を生成する読取画像生成手段、生成された読取画像を、ファクシミリにより送信する第１の画像とそれ以外の第２の画像とに分割する分割手段、第１の画像の宛先を特定する情報及び第２の画像を特定する情報を少なくとも含む付加情報を生成する付加情報生成手段、第１の画像及び付加情報を含むファクシミリ画像を生成し、ファクシミリにより前記宛先へ送信するファクシミリ送信手段、第２の画像を指定された宛先へ送信する画像送信手段、として機能させる。
【００１７】
本発明に係るプログラムは、コンピュータを、原稿の読取画像がファクシミリにより送信する第１の画像とファクシミリ以外の画像送信手段により送信する第２の画像とに分割された場合、第１の画像及び当該第１の画像の宛先を特定する情報及び第２の画像を特定する情報を少なくとも含む付加情報を含むファクシミリ画像の印刷用紙を読み取りファクシミリ受信画像を生成する生成手段、第２の画像を受信する画像受信手段、ファクシミリ受信画像に含まれる付加情報を参照して、ファクシミリ受信画像に含まれる第１の画像と前記画像受信手段により受信された第２の画像とから原稿の読取画像を復元する復元手段、として機能させる。
【００１８】
本発明に係るプログラムは、ファクシミリ装置に搭載されたコンピュータを、原稿のファクシミリ画像を受信するファクシミリ受信手段、受信したファクシミリ画像を、印刷用の第１の画像とそれ以外の第２の画像とに分割する分割手段、第１の画像の宛先を特定する情報及び第２の画像を特定する情報を少なくとも含む付加情報を生成する付加情報生成手段、第１の画像及び付加情報を含む印刷画像を用紙に印刷する印刷手段、第２の画像を指定された宛先へ送信する画像送信手段、として機能させる。
【発明の効果】
【００１９】
請求項１，１０記載の発明によれば、ファクシミリによる受信があったことを、ファクシミリを受信したファクシミリ装置の周りにいる者に知らせることができると共に原稿の内容全てを第三者に知らせずにすむ。
【００２０】
請求項２記載の発明によれば、ファクシミリにより送信する原稿の内容を機械可読コードにより出力することによって情報漏洩防止効果を更に向上することができる。
【００２１】
請求項３記載の発明によれば、用紙の出力枚数を１枚のみとしたことで資源の省力化を図ることができる。
【００２２】
請求項４，５，１１記載の発明によれば、分割して送られてきた原稿画像を復元することができる。
【００２３】
請求項６，１２記載の発明によれば、ファクシミリによる受信があったことを、周りにいる者に知らせることができると共に原稿の内容全てを第三者に知らせずにすむ。
【００２４】
請求項７，８，９記載の発明によれば、原稿画像がファクシミリによる受信があったことを、周りにいる者に知らせることができると共に原稿の内容全てを第三者に知らせることなくファクシミリの宛先となる者へ届けることができる。
【発明を実施するための最良の形態】
【００２５】
以下、図面に基づいて、本発明の好適な実施の形態について説明する。
【００２６】
実施の形態１．
図１は、本発明に係るファクシミリシステムの一実施の形態を示したブロック構成図である。図１には、ＦＡＸ送信側に設置された複合機３０と、ＦＡＸ受信側に設置された複合機４０及び画像処理装置５０とが示されている。
【００２７】
図２は、本実施の形態における複合機３０，４０のハードウェア構成図である。複合機３０，４０は、スキャナ機能、ＦＡＸ等各種機能を搭載した複合機であり、コンピュータを搭載した装置である。図２において、ＣＰＵ１は、ＲＯＭ９に格納されたプログラムにしたがってスキャナ４やプリンタエンジン６、ＦＡＸエンジン１０等本装置に搭載された各種機構の動作制御を行う。アドレスデータバス２は、ＣＰＵ１の制御対象となる各種機構と接続してデータの通信を行う。操作パネル３は、ユーザからの指示の受け付け、情報の表示を行う。スキャナ４は、ユーザがセットした原稿を読み取り、この読取画像を電子データとしてＨＤＤ（Ｈａｒｄ  Ｄｉｓｋ  Ｄｒｉｖｅ）５等に蓄積する。ＨＤＤ５は、スキャナ４を使用して読み取った電子文書などを格納する。プリンタエンジン６は、ＣＰＵ１で実行される制御プログラムからの指示に従い出力用紙上に画像を印字する。ＦＡＸエンジン１０は、ＣＰＵ１で実行される制御プログラムからの指示に従い読取画像を指定された宛先へ電話通信網２５を介してＦＡＸ送信する。また、電話通信網２５を介して送信されてくる画像データをＦＡＸ受信する。ネットワークインタフェース（Ｉ／Ｆ）７は、ネットワーク２４を接続し、本装置が生成した電子データの送信、本装置宛に送信されてきた電子メールの受信、またブラウザ経由による本装置へのアクセスなどに利用される。ＲＡＭ８は、プログラム実行時のワークメモリや電子データ送受信時の通信バッファとして利用される。ＲＯＭ９は、本装置の制御や電子データの暗号、電子データの送受信に関する各種プログラムが格納されている。各種プログラムが実行されることで後述する各構成要素が所定の処理機能を発揮する。
【００２８】
なお、本実施の形態におけるＦＡＸ装置４０は、後述する説明から明らかになるように、基本的処理はＦＡＸ受信と受信データの印刷ができればよいので、従前からあるＦＡＸ装置でも実現可能である。
【００２９】
図３は、本実施の形態における画像処理装置５０を形成するコンピュータのハードウェア構成図である。本実施の形態における画像処理装置５０は、従前から存在する汎用的なハードウェア構成で実現できる。すなわち、コンピュータは、図３に示したようにＣＰＵ１１、ＲＯＭ１２、ＲＡＭ１３、ＨＤＤ１４を接続したＨＤＤコントローラ１５、入力手段として設けられたマウス１６とキーボード１７、及び表示装置として設けられたディスプレイ１８、更にプリンタ１９及びスキャナ２０をそれぞれ接続する入出力コントローラ２１、通信手段として設けられたネットワークコントローラ２２を内部バス２３に接続して構成される。
【００３０】
図１に戻り、ＦＡＸ送信側に設置された複合機３０は、原稿読取部３１、画像分割部３２、コード変換部３３、送信情報受付部３４、付加情報生成部３５、ＦＡＸ送信画像生成部３６、ＦＡＸ送信部３７、メール送信部３８及びアドレス帳記憶部３９を有している。原稿読取部３１は、スキャナ機能により実現され、原稿を読み取り読取画像を生成する読取画像生成手段である。画像分割部３２は、原稿読取部３１により生成された読取画像を、ファクシミリにより送信する第１の画像とそれ以外の第２の画像とに分割する分割手段である。本実施の形態では、第２の画像を、電子メールを利用して送信する。コード変換部３３は、第１の画像、すなわちＦＡＸ送信対象とする読取画像を機械可読コードに変換する。送信情報受付部３４は、分割した第１及び第２の各画像の送信先、第２の画像を特定する情報、分割した第１及び第２の各画像から元の原稿画像に復元するための復元方法等操作パネル３から利用者により指定された指示内容を受け付ける。付加情報生成部３５は、利用者により指定された指示内容に従ってコード変換された第１の画像に付加する付加情報を生成する。ＦＡＸ送信画像生成部３６は、コード変換された第１の画像に付加情報を付加することによってＦＡＸ送信画像を生成する。ＦＡＸ送信部３７は、ＦＡＸ送信画像を送信する。メール送信部３８は、第２の画像を添付ファイルとして電子メールに添付し、指定された宛先へメール送信する。アドレス帳記憶部３９には、ＦＡＸ送信先となるユーザに関する情報、具体的には、各ＦＡＸ送信先に対してＦＡＸ番号、電子メールアドレス、住所等が対応付けして登録されている。
【００３１】
複合機３０における各構成要素３１〜３８は、複合機３０に搭載されたコンピュータと、コンピュータのＣＰＵ１で動作するプログラムとの協調動作により実現される。また、アドレス帳記憶部３９は、複合機３０に搭載されたＨＤＤ５にて実現される。
【００３２】
ＦＡＸ受信側に設置された複合機４０は、送信されてきたＦＡＸ画像データを受信するＦＡＸ受信部４１及び受信した画像データを印刷する印刷部４２を有している。複合機４０における各構成要素４１，４２は、複合機４０に搭載されたコンピュータと、コンピュータのＣＰＵ１で動作するプログラムとの協調動作により実現される。
【００３３】
画像処理装置５０は、メール受信部５１、読取部５２、コード変換部５３、原稿画像復元部５４及び印刷部５５を有している。メール受信部５１は、画像処理装置５０に搭載された電子メール機能を利用して、外部から送信されてくる電子メールを受信する。読取部５２は、スキャナ２０と連携動作し、用紙を読み取り読取画像を生成する。コード変換部５３は、読取部５２により読み取られたＦＡＸ受信画像に含まれコード変換されている第１の画像をデコードする。原稿画像復元部５４は、ＦＡＸ受信画像に含まれる付加情報を参照して、デコードされた第１の画像と電子メールにより受け取った第２の画像とを結合し、原稿の読取画像を復元する復元手段である。印刷部５５は、プリンタ１９と連携動作し、復元された原稿を印刷する。
【００３４】
画像処理装置５０における各構成要素５１〜５５は、画像処理装置５０を形成するコンピュータと、コンピュータのＣＰＵ１１で動作するプログラムとの協調動作により実現される。
【００３５】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがインストールプログラムを順次実行することで各種処理が実現される。
【００３６】
次に、本実施の形態において、読み取った原稿をＦＡＸ送信し、ＦＡＸ受信側で原稿を印刷するまでの処理について説明する。まず、複合機３０における原稿画像送信処理について図４に示したフローチャートを用いて説明する。
【００３７】
利用者がスキャナ４にＦＡＸ送信対象の原稿６１をセットし、送信に必要な情報を操作パネル３から入力する。詳細は後述するように、本実施の形態では、原稿画像を分割し、分割した画像をそれぞれＦＡＸ及び電子メールを利用して送信することを特徴としている。そのため、利用者は、ＦＡＸ送信先を特定する情報としてＦＡＸ番号と、電子メールの送信先を特定する情報として電子メールアドレスと、をそれぞれ入力する。原稿送信先がアドレス帳記憶部３９に登録されている場合、利用者は、所定の操作によりアドレス帳を操作パネル３にリスト表示し、その中から選択するようにしてもよい。
【００３８】
ＦＡＸ分割送信ボタンを押下するなど利用者により所定の送信操作がされると、原稿読取部３１は、ＦＡＸ送信対象の原稿を読み取り読取画像を生成すると共に（ステップ１１１）、送信情報受付部３４は、利用者により指定された情報を受け付ける（ステップ１１２）。続いて、画像分割部３２は、原稿読取部３１から送られてきた読取画像をＦＡＸ送信用の画像と電子メール送信用の画像とに分割する（ステップ１１３）。この画像分割については、追って詳述する。続いて、コード変換部３３は、分割により生成されたＦＡＸ送信用の画像（ビットマップデータ）を機械可読コード、例えば二次元バーコードやグリフコードなど人がその画像を見ても内容が容易に判別できないが機械的には復号が可能となるようなコード変換（符号化変換処理）する（ステップ１１４）。
【００３９】
一方、付加情報生成部３５は、利用者により指定された情報を送信情報受付部３４から受け取ると、一般にＦＡＸの送信ヘッダに記入すべきＦＡＸ送信先（宛先）に関する情報、ＦＡＸ送信元（送信者）に関する情報、送信日時に加えて、本実施の形態では更にＦＡＸ受信側において原稿画像の復元方法、ＦＡＸ受信者へのメッセージ情報を含む付加情報を生成する（ステップ１１５）。宛先に関する情報には、利用者により指定されたＦＡＸ番号の他、ＦＡＸ受取人の部署、氏名等の情報が含まれる。この情報は、アドレス帳記憶部３９に予め登録して利用者に操作パネル３から選択させてもよいし、操作パネル３から文字入力させてもよいし、送信する原稿とは別に宛先を記載した用紙を予め用意しておき、この用紙の読取画像を文字認識することで取得してもよい。送信者に関する情報についても同様である。
【００４０】
また、原稿画像の復元方法には、この情報を参照することでＦＡＸ受信側にて分割画像を結合するために必要な情報が含まれている。具体的には、原稿画像の分割数、ＦＡＸ以外の画像送信先を特定する情報、分割画像の識別情報、各分割画像の送信経路、分割画像の大きさ、分割画像の並び順等が必要に応じて含まれている。ＦＡＸ受信者へのメッセージ情報には、当ＦＡＸが原稿の一部であることを知らせるメッセージ、当ＦＡＸに記載された復元方法に従って分割画像を復元することを知らせるメッセージ等が含まれる。このメッセージは、付加情報生成部３５が予め用意されたメッセージリストの中から選出してメッセージ情報に含めるようにしてもよいし、利用者に操作パネル３から入力させてもよい。
【００４１】
続いて、ＦＡＸ送信画像生成部３６は、コード変換部３３によりコードデータ化された第１の画像と、付加情報生成部３５により生成された付加情報とを合成することでＦＡＸ送信画像を生成する（ステップ１１６）。そして、ＦＡＸ送信部３７は、生成されたＦＡＸ送信画像を指定された宛先へＦＡＸ送信する（ステップ１１７）。
【００４２】
一方、ステップ１１３において第２の画像が生成されると、メール送信部３８は、その第２の画像を添付ファイルとした電子メールを生成し、ステップ１１２で指定された電子メールアドレスを宛先として電子メールを送信する（ステップ１１８）。なお、付加情報を電子メールのメッセージ本文に含めたり、添付ファイルとして送信したりしてもよい。このように、原稿画像は、分割された状態にてＦＡＸ送信先へ送信される。
【００４３】
なお、ＦＡＸ送信画像は、コードデータ化された第１の画像と付加情報とが生成されて生成されることになる。従って、フローチャートでは、第１の画像のコード変換（ステップ１１４）を付加情報の生成（ステップ１１５）より先に実施するようにしたが、いずれを先に実施しても並行して実施してもよい。また、フローチャートでは、第１の画像のＦＡＸ送信（ステップ１１７）をした後に、第２の画像の電子メール送信（ステップ１１８）を実施するようにしたが、第２の画像の電子メール送信は、原稿画像を分割して第２の画像が形成されれば送信可能な状態なので、必ずしも第１の画像のＦＡＸ送信の後に実施する必要はなく、先に実施しても並行して実施してもよい。
【００４４】
ここで、原稿画像の分割について詳述する。
【００４５】
本実施の形態は、本来、ＦＡＸにより送信すべき原稿画像を分割し、ＦＡＸ以外の送信経路を利用することにより、複数の送信経路から分割画像をそれぞれ送信することを特徴としている。本実施の形態では、ＦＡＸ以外の送信経路として電子メールを用いた送信経路を利用することにより２経路で原稿画像を送信することになるので、原稿画像を基本的には２つに分割すればよい。
【００４６】
二分割の方法としては、ビットマップデータである原稿画像全体を、単純に半分にすることで２つに等分割してもよい。あるいは、原稿画像全体を細分割して２つに分けるようにしてもよい。例えば、原稿画像全体を四分割して、１番目と３番目の分割画像をＦＡＸにて送信し、２番目と４番目の分割画像を電子メールにて送信する。
【００４７】
また、ＦＡＸ送信分の分割画像は、ＦＡＸ受信側において受信画像を印刷したときに、その内容が印刷用紙１枚に収まるようなサイズとしてもよい。つまり、ビットマップデータの先頭から、例えばＡ４用紙１枚に収まる分だけのデータを取り出してＦＡＸ送信用の分割画像を生成する。電子メールで送信する分割画像は、ＦＡＸで送信する分割画像の残りのビットマップデータで生成する。なお、複合機４０で扱う用紙のサイズは、複合機３０に予め設定してもよいし、一般に取り扱うＡ４サイズと決めておいてもよいし、複合機３０が複合機４０との間で情報交換をして取得してもよい。
【００４８】
画像分割部３２は、このような分割方法を、予め決められた方法にて決定したり、原稿画像の大きさや送信経路の数などを参照して複数候補の中から自動的に決定したり、あるいは複数候補の中から利用者に選択させたりしてもよい。
【００４９】
このようにして決定された分割方法に関する情報は、原稿画像の復元方法として付加情報に含まれることになる。つまり、ＦＡＸ受信側においては、原稿画像の復元方法を参照することによって、分割された画像をどのように結合すれば原稿画像を復元できるかについて知ることができる。
【００５０】
次に、ＦＡＸ受信側の処理について説明する。まず、複合機４０におけるＦＡＸ受信処理について図５に示したフローチャートを用いて説明する。
【００５１】
この処理は、従来のＦＡＸ受信処理をそのまま実施すればよい。すなわち、ＦＡＸ画像が送られてくると、ＦＡＸ受信部４１は、そのＦＡＸ画像を受信する（ステップ１２１）。そして、印刷部４２は、受信されたＦＡＸ画像を用紙に印刷する（ステップ１２２）。
【００５２】
図６は、本実施の形態において印刷部４２により出力された印刷物６２のフォーマットの一例を示した図である。この例のように、印刷物６２の上方は、付加情報を印刷する領域６４であり、印刷物６２の下方は、コードデータ化された第１の画像の印刷領域６５である。この用紙を参照する者は、付加情報の内容を参照することで、誰から誰宛に届いたＦＡＸであることを把握できる。また、ＦＡＸの宛先となる者は、メッセージや原稿画像の復元方法を参照することで、ＦＡＸ受信以外の分割画像がどこに届くのか（この例では、指定の電子メールアドレス対応のメールボックス）、受け取った複数の分割画像をどのようにすれば原稿画像を復元できるのか、と言うことを知ることができる。
【００５３】
続いて、画像処理装置５０における原稿出力処理について図７に示したフローチャートを用いて説明する。なお、この処理が開始される前には、前述したように複合機４０によってＦＡＸ受信画像が印刷されていること、更に、メール受信部５１が、メール送信部３８から送信された第２の画像が添付されている電子メールを受信している必要がある。
【００５４】
ＦＡＸ受信者である利用者は、複合機４０からの用紙出力により自分宛にＦＡＸが送信されてきたことを認識すると、受信した第１の画像と対をなす第２の画像が電子メールで送信されてきているかを確認する。そして、送られてきている場合、利用者は、電子ファイルに添付されている第２の画像を予め決められた所定のフォルダに保存する。
【００５５】
そして、利用者がステップ１２２において出力された用紙を机上のスキャナ２０にセットし、読取ボタンを押下するなど所定の操作を行うと、読取部５２は、その用紙を読み取りＦＡＸ受信画像を生成する（ステップ１３１）。続いて、コード変換部５３は、生成されたＦＡＸ受信画像の中からコードデータ化されている第１の画像を探し出し、そのコードデータをデコードすることでビットマップデータに戻す（ステップ１３２）。
【００５６】
デコードされた第１の画像がコード変換部５３から送られてくると、原稿画像復元部５４は、所定のフォルダから第２の画像を取得し、ＦＡＸ受信画像に含まれている付加情報、特に原稿画像の復元方法を参照して、第１の画像と第２の画像とを結合することによって原稿画像を復元する（ステップ１３３）。その後、印刷部５５は、復元された原稿画像を印刷する（ステップ１３４）。このようにして、ＦＡＸ受信者は、原稿６３を取得できる。なお、印刷部５５は、原稿画像復元部５４からの印刷指示の場合、原稿画像に潜像画像を付加するなどして印刷物が原稿６３の原本であることであることを示すようにしてもよい。
【００５７】
実施の形態２．
上記実施の形態１では、ＦＡＸ送信用の画像以外の第２の画像を電子メールにて送信したが、本実施の形態では、外部の業者を利用して第２の画像をＦＡＸ受信側へ送るようにしたシステムである。
【００５８】
図８は、本実施の形態におけるファクシミリシステムのブロック構成図である。なお、図１と同じ構成要素には、同じ符号を付け、説明を省略する。構成上、実施の形態１と異なるのは、画像処理装置５０において、第２の画像を受け取る手段として、メール受信部５１の代わりに読取部５６を設けたことである。以下、本実施の形態の動作について説明するが、基本的には実施の形態１と同じなので、実施の形態１で用いたフローチャートを利用して説明する。但し、実施の形態１と同じ処理については、説明を適宜省略する。
【００５９】
まず、複合機３０における原稿画像送信処理については、ほぼ実施の形態１と同じである。異なる点は、第２の画像の送信先が画像処理装置５０ではなく業者６６なので、ＦＡＸ送信者は、電子メールの宛先となる業者６６のメールアドレス、業者６６による第２の画像の印物の配送先情報、すなわちＦＡＸ受信者の所在地及び氏名、また、必要であれば、業者６６における受信メールの取扱いに関するメッセージを入力指定する。なお、ここで入力したメッセージは、電子メール本文に記載される。
【００６０】
業者６６では、複合機３０から送られてきた電子メールを受信すると、添付された第２の画像を印刷し、電子メールのメッセージ本文に記載された内容を参照して、その印刷物６７を指定された配送先へ配送する。
【００６１】
ＦＡＸ受信側において、複合機４０におけるＦＡＸ受信処理は、実施の形態１と同じなので説明を省略する。また、画像処理装置５０においては、基本的には実施の形態１と同じである。ただ、実施の形態１では、第２の画像を電子メールの添付ファイルで受け取っていたのに対し、本実施の形態では、印刷物６７として受け取るので、少なくとも図７におけるステップ１３３が実施されるまでに、利用者は印刷物６７を机上のスキャナ２０にセットし、読取ボタンを押下するなど所定の操作を行うと、読取部５６に印刷物６７を読み取らせて読取画像を生成させておく必要がある。これにより、原稿画像復元部５４は、読取部５６から送られてきた読取画像、すなわち第２の画像を取得し、その一方、デコードされた第１の画像をコード変換部５３から取得すると、原稿画像の復元方法を参照して、第１の画像と第２の画像とを結合することによって原稿画像を復元する（ステップ１３３）。
【００６２】
本実施の形態では、実施の形態１を利用した電子メールとは異なる送信経路の例として業者６６を介した経路を示した。ただ、実施の形態１と実施の形態２を組み合わせて第２の画像を複数に分割して利用するようにしてもよい。
【００６３】
実施の形態３．
実施の形態１，２では、ＦＡＸ送信側の複合機３０において原稿画像を分割してから送信する実施形態を例示した。本実施の形態では、ＦＡＸ受信側の複合機４０において受信した原稿画像を分割することを特徴としている。
【００６４】
図９は、本実施の形態におけるファクシミリシステムのブロック構成図である。なお、図１と同じ構成要素には、同じ符号を付け、説明を省略する。図１と比較してみると明らかなように、複合機３０において画像を分割して送信するための手段が複合機４０に設けられている。つまり、複合機３０は、原稿読取部３１、送信情報受付部３４、ＦＡＸ送信部３７及びアドレス帳記憶部３９を有している。
【００６５】
一方、複合機４０は、ＦＡＸ受信部４１及び印刷部４２に加え、画像分割部４３、コード変換部４４、付加情報生成部４５、印刷画像生成部４６及びメール送信部４７を有することになる。ここで新たに設けられた構成要素４３〜４７が持つ機能は、実施の形態１の複合機３０から除かれた各構成要素３２，３３，３５，３６，３８それぞれに相当する。この複合機４０に新たに設けられた各構成要素４３〜４７は、複合機４０に搭載されたコンピュータと、コンピュータのＣＰＵ１で動作するプログラムとの協調動作により実現される。
【００６６】
次に、本実施の形態において、読み取った原稿をＦＡＸ送信し、ＦＡＸ受信側で原稿を印刷するまでの処理について説明する。まず、複合機３０における原稿画像送信処理について図１０に示したフローチャートを用いて説明する。なお、実施の形態１と同じ処理には、同じステップ番号を付ける。
【００６７】
利用者がスキャナ４にＦＡＸ送信対象の原稿６１をセットし、送信に必要な情報を操作パネル３から入力する。本実施の形態では、原稿画像を分割しないで送信するので、利用者は、従来と同様にＦＡＸ送信先を特定する情報としてＦＡＸ番号を入力する。原稿送信先がアドレス帳記憶部３９に登録されている場合、利用者は、所定の操作によりアドレス帳を操作パネル３にリスト表示し、その中から選択するようにしてもよい。
【００６８】
ＦＡＸ送信ボタンを押下するなど利用者により所定の送信操作がされると、原稿読取部３１は、ＦＡＸ送信対象の原稿を読み取り読取画像を生成すると共に（ステップ１１１）、送信情報受付部３４は、利用者により指定された情報を受け付ける（ステップ１１２）。そして、ＦＡＸ送信部３７は、原稿の読取画像を指定された宛先へＦＡＸ送信する（ステップ３１１）。
【００６９】
続いて、ＦＡＸ受信側の処理について説明する。まず、複合機４０におけるＦＡＸ受信処理について図１１に示したフローチャートを用いて説明する。
【００７０】
ＦＡＸ画像が送られてくると、ＦＡＸ受信部４１は、そのＦＡＸ画像を受信する（ステップ１２１）。ＦＡＸ受信部４１からＦＡＸ画像が送られてくると、画像分割部４３は、そのＦＡＸ画像をＦＡＸ受信用の画像と電子メール送信用の画像とに分割する（ステップ３１３）。この画像分割については、実施の形態１において説明した方法にて分割すればよい。続いて、コード変換部４４は、分割により生成されたＦＡＸ送信用の画像（ビットマップデータ）を機械可読コード、例えばＱＲコードやグリフコードなどにコード変換する（ステップ３１４）。
【００７１】
一方、付加情報生成部４５は、ＦＡＸ画像をＦＡＸ受信部４１から受け取ると、ＦＡＸ画像を解析することによりＦＡＸの宛先、ＦＡＸ送信者を特定する。具体的には、所定の送信フォームを利用し、受信した送信フォームの受信画像に対して文字認識処理を実行してもよいし、ＦＡＸ送信者がＦＡＸの宛先やＦＡＸ送信者に関する情報を予め決められた規則に従い機械可読コード化して原稿に含めておき、付加情報生成部４５がこの情報を解析することによって取得するようにしてもよい。付加情報生成部４５は、一般にＦＡＸの送信ヘッダに記入すべきＦＡＸ送信先（宛先）に関する情報、ＦＡＸ送信元（送信者）に関する情報、送信日時をＦＡＸ画像から抽出し、更にこれらの情報に加えて、本実施の形態では更に原稿画像の復元方法、ＦＡＸ受信者へのメッセージ情報を含む付加情報を生成する（ステップ３１５）。原稿画像の復元方法及びＦＡＸ受信者へのメッセージ情報に関しては、実施の形態１で説明した方法にて生成する。
【００７２】
続いて、印刷画像生成部４６は、コード変換部４４によりコードデータ化された第１の画像と、付加情報生成部４５により生成された付加情報とを合成することでＦＡＸ受信画像を生成する（ステップ３１６）。そして、印刷部４２は、生成されたＦＡＸ受信画像を用紙に印刷する（ステップ１２２）。
【００７３】
なお、以上の説明から理解できるように、ステップ３１３〜３１６における処理の内容は、実施の形態１のステップ１１３〜１１６と基本的には同じである。そして、印刷部４２により出力された印刷物６２は、図５で例示したように実施の形態１と同じ物である。
【００７４】
一方、ステップ３１３において第２の画像が生成されると、メール送信部４７は、その第２の画像を添付ファイルとした電子メールを生成してメール送信する（ステップ３１７）。なお、電子メールの宛先は、例えば付加情報生成部４５により抽出されたから、氏名と電子メールアドレスが対応付けして登録されている図示しないアドレス帳を検索することによって、送信先とする電子メールアドレスを取得するようにしてもよいし、複合機４０の操作パネル３から入力させるようにしてもよいし、ＦＡＸ送信者に送信ヘッダに指定させておいてもよい。また、付加情報を電子メールのメッセージ本文に含めたり、添付ファイルとして送信したりしてもよい。
【００７５】
このように、原稿画像は、複合機４０において分割された状態にて画像処理装置５０に渡されることになる。具体的には、画像処理装置５０は、図５に例示したデータコード化された第１の画像を含む印刷物６２と、添付ファイルとして添付された第２の画像を含む電子メールという形態にて分割された原稿画像を受け取ることになる。よって、画像処理装置５０における原稿出力処理は、図７に示した実施の形態１と同じでよいので説明を省略する。
【００７６】
なお、上記各実施の形態においては、ＦＡＸ装置として複合機３０，４０を用いる場合を例にして説明した。ただ、実施の形態１，２のＦＡＸ受信側の複合機４０、実施の形態３のＦＡＸ送信側の複合機３０は、従前からあるＦＡＸ機を用いても実現可能である。また、受信した原稿画像を印刷する装置として、ＦＡＸ受信者（宛先として指定された者）が個人的に使用し、プリンタ１９とスキャナ２０が接続された画像処理装置５０を想定して説明した。ただ、ＦＡＸ受信者は、画像処理装置５０を用いずにプリンタ機能、スキャナ機能及び自分のメールボックスが参照可能な電子メール機能を搭載した複合機４０を用いるようにしてもよい。換言すると、画像処理装置５０を複合機４０と統合して、ＦＡＸ受信側の装置を１台の複合機で形成してもよい。
【図面の簡単な説明】
【００７７】
【図１】本発明に係るファクシミリシステムの実施の形態１を示したブロック構成図である。
【図２】実施の形態１における複合機のハードウェア構成図である。
【図３】実施の形態１における画像処理装置を形成するコンピュータのハードウェア構成図である。
【図４】実施の形態１における原稿画像送信処理を示したフローチャートである。
【図５】実施の形態１におけるＦＡＸ受信処理を示したフローチャートである。
【図６】実施の形態１において印刷部により出力された印刷用紙のフォーマットの一例を示した図である。
【図７】実施の形態１における稿出力処理を示したフローチャートである。
【図８】実施の形態２におけるファクシミリシステムを示したブロック構成図である。
【図９】実施の形態３におけるファクシミリシステムを示したブロック構成図である。
【図１０】実施の形態３における原稿画像送信処理を示したフローチャートである。
【図１１】実施の形態３におけるＦＡＸ受信処理を示したフローチャートである。
【符号の説明】
【００７８】
１，１１  ＣＰＵ、２  アドレスデータバス、３  操作パネル、４  スキャナ、５，１４  ハードディスクドライブ（ＨＤＤ）、６  プリンタエンジン、７  ネットワークインタフェース（Ｉ／Ｆ）、８，１３  ＲＡＭ、９，１２  ＲＯＭ、１０  ファクシミリエンジン、１５  ＨＤＤコントローラ、１６  マウス、１７  キーボード、１８  ディスプレイ、１９  プリンタ、２０  スキャナ、２１  入出力コントローラ、２２  ネットワークコントローラ、２３  内部バス、２４  ネットワーク、２５  電話通信網、３１  原稿読取部、３２，４３  画像分割部、３３，４４，５３  コード変換部、３４  送信情報受付部、３５  付加情報生成部、３６  ＦＡＸ送信画像生成部、３７  ＦＡＸ送信部、３８，４７  メール送信部、３９  アドレス帳記憶部、４１  ＦＡＸ受信部、４２，５５  印刷部、４５  付加情報生成部、４６  印刷画像生成部、５０  画像処理装置、５１  メール受信部、５２，５６  読取部、５４  原稿画像復元部。
【図１】
2010074567.tif 000003
【図２】
2010074567.tif 000004
【図３】
2010074567.tif 000005
【図４】
2010074567.tif 000006
【図５】
2010074567.tif 000007
【図６】
2010074567.tif 000008
【図７】
2010074567.tif 000009
【図８】
2010074567.tif 000010
【図９】
2010074567.tif 000011
【図１０】
2010074567.tif 000012
【図１１】
2010074567.tif 000013